(57)【要約】  ホームネットワークのセグメント間の双方向通信を提供する方法であって、この方法は、第１の時間期間中にドメイン間ブリッジの第１のインタフェースにおいて第１の通信信号を受信すること、前記第１の時間期間中に前記ドメイン間ブリッジの第２のインタフェースにおいて第２の通信信号を受信すること、前記第１の通信信号と前記第２の通信信号との重畳信号を生成すること、第２の時間期間中に前記第１のインタフェースおよび前記第２のインタフェースを介して前記重畳信号を送信することを含み、前記第２の時間期間は、前記第１の時間期間の後に生じる。
2014520423.tif 000002
【特許請求の範囲】
【請求項１】
ホームネットワークのセグメント間の双方向通信を提供する方法であって、
第１の時間期間中にドメイン間ブリッジの第１のインタフェースにおいて第１の通信信号を受信すること、
前記第１の時間期間中に前記ドメイン間ブリッジの第２のインタフェースにおいて第２の通信信号を受信すること、
前記第１の通信信号と前記第２の通信信号との重畳信号を生成すること、
第２の時間期間中に前記第１のインタフェースおよび前記第２のインタフェースを介して前記重畳信号を送信することを含み、前記第２の時間期間が前記第１の時間期間の後に生じる、方法。
【請求項２】
前記重畳信号の前記生成が、排他的論理和演算を適用することによって前記第１の通信信号のバイナリデータコンテンツを前記第２の通信信号のバイナリデータコンテンツと結合することを含む、請求項１に記載の方法。
【請求項３】
前記重畳信号の前記生成が、時間領域で、前記第１の通信信号を表す第１の物理パラメータを、前記第２の通信信号を表す第２の物理パラメータに加えることを含む、請求項１に記載の方法。
【請求項４】
ホームネットワークの異なるセグメント中の端末と通信する方法であって、
第１の時間期間中に第１の通信信号をドメイン間ブリッジに送信すること、
第２の時間期間中に第２の通信信号を前記ドメイン間ブリッジから受信すること、
前記送信された第１の通信信号と前記受信された第２の通信信号とを結合して、前記ドメイン間ブリッジにおいて受信された前記リモート端末からの送信に対応する第３の通信信号を抽出することを含む、方法。
【請求項５】
前記第１の通信と前記第２の通信信号との前記結合が、排他的論理和演算を適用することによって前記第１の通信信号のバイナリデータコンテンツを前記第２の通信信号のバイナリデータコンテンツと結合することを含む、請求項４に記載の方法。
【請求項６】
前記第１の通信と前記第２の通信信号との前記結合が、時間領域で、前記第１の通信信号を表す第１の物理パラメータを、前記第２の通信信号を表す第２の物理パラメータから引くことを含む、請求項４に記載の方法。
【請求項７】
請求項１から６のいずれか一項に記載の方法をプロセッサに実施させるように構成された、コンピュータプログラム。
【請求項８】
第１のホームネットワーキングセグメントと信号を交換するようになされた第１のインタフェースと、
第２のホームネットワーキングセグメントと信号を交換するようになされた第２のインタフェースと、
前記第１のインタフェースおよび前記第２のインタフェースに動作可能に結合された重畳エージェントとを備えるドメイン間ブリッジであって、前記重畳エージェントが、前記第１のインタフェースから受信された第１の通信信号と、前記第２のインタフェースから受信された第２の通信信号との重畳信号を生成し、前記第１のインタフェースおよび前記第２のインタフェースを介して前記重畳信号をほぼ同時に送信するように構成された、ドメイン間ブリッジ。
【請求項９】
前記重畳信号が、排他的論理和演算を適用することによって得られた、前記第１の通信信号のバイナリデータコンテンツと前記第２の通信信号のバイナリデータコンテンツとの結合を含む、請求項８に記載のドメイン間ブリッジ。
【請求項１０】
前記重畳信号が、時間領域における、前記第１の通信信号を表す第１の物理パラメータの、前記第２の通信信号を表す第２の物理パラメータへの追加を含む、請求項８に記載のドメイン間ブリッジ。
【請求項１１】
ホームネットワークドメインを介してドメイン間ブリッジと信号を交換するための通信インタフェースと、
前記通信インタフェースを介して送出通信信号を送信するための送信機と、
前記通信インタフェースを介して入来通信信号を受信するための受信機と、
差分信号に達するために、前記送出通信信号に対応する成分を前記入来通信信号から除去する手段とを備える、通信端末。
【請求項１２】
前記差分信号が、排他的論理和演算を適用することによって得られた、前記入来通信信号のバイナリデータコンテンツと前記送出通信信号のバイナリデータコンテンツとの結合である、請求項１１に記載の通信端末。
【請求項１３】
前記差分信号が、時間領域における、前記入来通信信号を表す第１の物理パラメータの、前記送出通信信号を表す第２の物理パラメータに対する差分である、請求項１１に記載の通信端末。
【請求項１４】
請求項８に記載のドメイン間ブリッジと、請求項１１に記載の２つの通信端末とを備えるシステムであって、前記２つの通信端末が前記第１のインタフェースおよび前記第２のインタフェースに接続された、システム。
【発明の詳細な説明】
【技術分野】
【０００１】
本発明は、ホームネットワークの分野に関し、より詳細には、多様な物理ホームネットワークセグメントを介したデータ伝送の分野に関する。
【背景技術】
【０００２】
ホームネットワーク、特に、ＩＴＵ−Ｔによって策定された勧告のＧ．ｈｎファミリに従ったホームネットワーク（ＩＴＵ−Ｔ  Ｒｅｃ．Ｇ．９９６１参照）では、ドメイン間の通信がドメインマネージャを介して行われる。このアーキテクチャは、スケーラビリティが限られ、ドメインにまたがる真の双方向対話を可能にしない。
【先行技術文献】
【非特許文献】
【０００３】
【非特許文献１】ＩＴＵ−Ｔ  Ｒｅｃ．Ｇ．９９６１
【発明の概要】
【発明が解決しようとする課題】
【０００４】
本発明の目的は、ホームネットワーク中で、スケーラビリティ、およびドメインにまたがる双方向対話を向上させることである。
【課題を解決するための手段】
【０００５】
本発明の一態様によれば、ホームネットワークのセグメント間の双方向通信を提供する方法が提供される。この方法は、第１の時間期間中にドメイン間ブリッジの第１のインタフェースにおいて第１の通信信号を受信すること、第１の時間期間中にドメイン間ブリッジの第２のインタフェースにおいて第２の通信信号を受信すること、第１の通信信号と第２の通信信号との重畳信号を生成すること、第２の時間期間中に第１のインタフェースおよび第２のインタフェースを介して重畳信号を送信することを含み、第２の時間期間は第１の時間期間の後に生じる。
【０００６】
本発明の利点は、ドメイン間ブリッジにおいてデータ中継を双方向に実施することにより、ネットワークリソースをより効率的に使用できることである。本発明は、異なる信号を同時に送信することが必ずしもメッセージの内容を曖昧にしないという洞察にとりわけ基づくが、これは、送信側が、送信されたメッセージの送信側自体のコピーをフィルタとして使用して、結合送信からピアのメッセージを抽出することができるからである。
【０００７】
したがって、本発明は、ホームネットワーク中で使用されるネットワーク符号化の一形式を提供する。これは、物理層、データリンク層、および／またはネットワーク層で行われることが好ましい。
【０００８】
本発明の方法の一実施形態では、重畳信号を生成することは、排他的論理和演算を適用することによって第１の通信信号のバイナリデータコンテンツを第２の通信信号のバイナリデータコンテンツと結合することを含む。
【０００９】
この実施形態の利点は、重畳が、数学的に単純かつ実施容易な方式で行われることである。この実施形態では、有利にも、重畳を媒体アクセス制御（ＭＡＣ）層で適用することができ、この場合、それぞれのＭＡＣフレームの内容が、第１の通信信号および第２の通信信号のバイナリデータコンテンツとして採用される。したがって、重畳されたＭＡＣフレームは、物理層に渡され、媒体上に送信される。
【００１０】
本発明の方法の一実施形態では、重畳信号を生成することは、時間領域で、第１の通信信号を表す第１の物理パラメータを、第２の通信信号を表す第２の物理パラメータに加えることを含む。
【００１１】
この実施形態の利点は、重畳が、既存の物理層機器に対する最小限の修正しか必要としないようにして行われることである。この実施形態では、有利にも、重畳を物理層で適用することができ、この場合、それぞれの通信信号の、好ましくそれぞれのＭＡＣフレームの、物理的表現が、媒体上への送信前に結合される。
【００１２】
本発明の別の態様によれば、ホームネットワークの異なるセグメント中の端末と通信する方法が提供される。この方法は、第１の時間期間中に第１の通信信号をドメイン間ブリッジに送信すること、第２の時間期間中に第２の通信信号をドメイン間ブリッジから受信すること、送信された第１の通信信号と受信された第２の通信信号とを結合して、ドメイン間ブリッジにおいて受信されたリモート端末からの送信に対応する第３の通信信号を抽出することを含む。
【００１３】
本発明のこの態様は、前述の方法を双方向通信のエンドポイントに移行させたものである。
【００１４】
本発明の方法の一実施形態では、第１の通信と第２の通信信号とを結合することは、排他的論理和演算を適用することによって第１の通信信号のバイナリデータコンテンツを第２の通信信号のバイナリデータコンテンツと結合することを含む。
【００１５】
本発明の方法の一実施形態では、第１の通信と第２の通信信号とを結合することは、時間領域で、第１の通信信号を表す第１の物理パラメータを、第２の通信信号を表す第２の物理パラメータから引くことを含む。
【００１６】
本発明の別の態様によれば、前述の請求項のいずれか一項による方法をプロセッサに実施させるように構成されたコンピュータプログラムが提供される。
【００１７】
本発明の別の態様によれば、第１のホームネットワーキングセグメントと信号を交換するようになされた第１のインタフェースと、第２のホームネットワーキングセグメントと信号を交換するようになされた第２のインタフェースと、第１のインタフェースおよび第２のインタフェースに動作可能に結合された重畳エージェントとを備えるドメイン間ブリッジが提供され、重畳エージェントは、第１のインタフェースから受信された第１の通信信号と、第２のインタフェースから受信された第２の通信信号との重畳信号を生成し、第１のインタフェースおよび第２のインタフェースを介して重畳信号をほぼ同時に送信するように構成される。
【００１８】
本発明のドメイン間ブリッジの一実施形態では、重畳信号は、排他的論理和演算を適用することによって得られた、第１の通信信号のバイナリデータコンテンツと第２の通信信号のバイナリデータコンテンツとの結合を含む。
【００１９】
本発明のドメイン間ブリッジの一実施形態では、重畳信号は、時間領域における、第１の通信信号を表す第１の物理パラメータの、第２の通信信号を表す第２の物理パラメータへの追加を含む。
【００２０】
本発明の別の態様によれば、ホームネットワークドメインを介してドメイン間ブリッジと信号を交換するための通信インタフェースと、通信インタフェースを介して送出通信信号を送信するための送信機と、通信インタフェースを介して入来通信信号を受信するための受信機と、差分信号に達するために、送出通信信号に対応する成分を入来通信信号から除去する手段とを備える通信端末が提供される。
【００２１】
本発明の通信端末の一実施形態では、差分信号は、排他的論理和演算を適用することによって得られた、入来通信信号のバイナリデータコンテンツと送出通信信号のバイナリデータコンテンツとの結合である。
【００２２】
本発明の通信端末の一実施形態では、差分信号は、時間領域における、入来通信信号を表す第１の物理パラメータの、送出通信信号を表す第２の物理パラメータに対する差分である。
【００２３】
本発明の別の態様によれば、前述のドメイン間ブリッジと２つの通信端末とを備えるシステムが提供される。２つの通信端末は、第１のインタフェースおよび第２のインタフェースに接続される。
【００２４】
本発明の装置、コンピュータプログラム、およびシステムの利点は、本発明による前述の方法の利点と同一または同様である。
【００２５】
次に、本発明の実施形態による装置および／または方法のいくつかの実施形態について、添付の図面を参照しながら単なる実施例として述べる。
【図面の簡単な説明】
【００２６】
【図１】例示的なＧ．ｈｎネットワークアーキテクチャを示す図である。
【図２】図１のネットワークの一部をより詳細に示す図である。
【図３】本発明による方法の一実施形態のフローチャートである。
【図４】本発明によるドメイン間ブリッジの一実施形態のブロック図である。
【図５】本発明による通信端末の一実施形態のブロック図である。
【発明を実施するための形態】
【００２７】
本記述におけるホームネットワークへのいかなる言及も、あくまで例示であり、本発明の適用範囲を居住設定に限定する意図はないことは、当業者なら理解するであろう。本発明は実際、オフィス、産業、ホスピタリティ、および教育の設定を含め、Ｇ．ｈｎによって含意されるものと同様のアーキテクチャ中に複数のネットワークセグメントがあるような他の設定にも適用可能である。
【００２８】
同様に、「Ｇ．ｈｎ」ネットワークへの言及は、ＩＴＵ−Ｔ勧告のその特定ファミリに準拠する実施形態に本発明を限定するものと解釈されるべきではない。
【００２９】
図に示される送受信機の数は、例示のために選ばれたものに過ぎず、本発明の一般性を決して限定しない。所与の送受信機との関係で記述される動作は、必要な変更を加えてネットワーク中の他の送受信機にも当てはめることができる。
【００３０】
図１を参照するが、図１には、Ｇ．ｈｎネットワークアーキテクチャによる例示的なネットワーク１００を示す。Ｇ．ｈｎネットワークは、ツイストペア、電力線、同軸ケーブリングを含めた様々な宅内物理媒体を介して、ＤＣ近くから１００ＭＨｚまでの周波数帯域で動作するように設計される。Ｇ．ｈｎネットワークは、直交周波数分割変調（ＯＦＤＭ）を使用するように標準化されており、ＯＦＤＭは、ＩＥＥＥ８０２．１１ワイヤレスローカルエリアネットワークなどのワイヤレスシステム中でもよく見られる変調方式である。我々の分析は、本方法の方式がＯＦＤＭベースのデータ伝送によるネットワークでうまく機能することを示したが、当業者なら、変調方式の選択が本発明の概念の適用可能性に影響しないことを理解するであろう。したがって本発明は、シングルキャリア方式（例えば直交振幅変調−ＱＡＭ）、符号分割多元接続（ＣＤＭＡ）、離散マルチトーン（ＤＭＴ）などを含めた他の変調方式を使用するネットワークにも、等しく適用することができる。
【００３１】
種々のタイプの物理媒体のそれぞれは、Ｇ．ｈｎネットワーク内の「ドメイン」を定義する。Ｇ．ｈｎネットワークは、追加的にワイヤレスドメインと対話することができる。一般性を失うことなく、図１には３つのドメイン１０１、１０２、１０３が示されている。いくつかのドメイン間ブリッジ（ＩＤＢ）が示されているが、以下ではこのうち、一般性を失うことなく、第１のドメイン１０１と第２のドメイン１０２との間にあるドメイン間ブリッジ４００に焦点を合わせる。
【００３２】
このような各ドメイン内には、相互と通信する多数のデバイスまたは端末がある場合がある。特定のドメイン内では、衝突回避方式によって双方向通信が可能にされる。本記述の残りの部分では、第１のドメイン１０１中の第１の端末５０１、および第２のドメイン１０２中の第２の端末５０２に焦点を合わせる。
【００３３】
ドメイン間の通信は、ドメインマスタの存在に依拠する。図１のネットワーク１００中では、第１のドメインマスタ１１１が第１のドメイン１０１を管理し、第２のドメインマスタ１１２が第２のドメイン１０２を管理する。
【００３４】
本発明は、異なるドメイン中にある任意の端末の対の間におけるドメイン間通信にドメインマスタが関与することが、重大なスケーラビリティ問題を引き起こすという洞察に、とりわけ基づく。
【００３５】
Ｇ．ｈｎは、効率的なドメイン間双方向伝送を可能にするために利用できる、マルチポートデバイス機能をサポートする。パラメータは同一だがサービスフロー優先順位は異なる２つの端末５０１、５０２を考えた場合、優先順位のより高いフローに、より低い遅延が与えられることになる。
【００３６】
利用可能な帯域幅が全てのサービスフローには十分でない場合がしばしばあり、したがって、優先順位のより低いサービスフローを犠牲にして、優先順位のより高いサービスフローに帯域幅リソースが割り当てられることになる。しかし、デバイスが多数の場合、この手法では、レイテンシが長いことがある。というのは、ドメイン間のキューイングが、コストおよび複雑さの増大を伴って、スペクトル効率を低減する可能性があるからである。例えば、利用可能な帯域幅が、一度に単一の１００Ｍｂｐｓ送信を提供するのに十分だが、２つのデバイスが同じ優先レベルで待機リスト中にある場合、デバイスのうちの一方は、ドメイン間ブリッジ４００を介したスペクトル利用のために待機しなければならないことになる。
【００３７】
本発明の実施形態によれば、優先順位付けとドメイン間双方向メカニズムとの合同使用を用いてスペクトル効率を向上させることができ、この場合、双方向方式は、論理リンク制御（ＬＬＣ）機能を介して開始される。
【００３８】
ドメイン間双方向メカニズムを開始するために、フロー優先順位およびキューイングリストが、制御パラメータの意味で使用される。したがって、これらの制御パラメータに基づいてパートナーデバイス（それぞれ異なるドメインからの）のリストが形成され、このリストは「パートナーリスト」と呼ばれる。パートナーリストからデバイスの対を選ぶことにより、ＬＬＣ機能は、新しい論理インタフェース（以下、Ｘ−Ｉコントローラ）をトリガして、ドメイン間メカニズムを開始する。加えて、レイテンシまたは／およびジッタなどの、ネットワークデバイスパラメータを追加のパラメータとして使用して、通信を開始することができる。
【００３９】
図２に、この原理をより詳細に示す。同図では、第１の段階でエンドポイント５０１、５０２からドメイン間ブリッジ４００に同時に流れる通信が、実線の矢印で表され、第２の後続段階でドメイン間ブリッジ４００からエンドポイント５０１、５０２に流れ戻る（混合）通信が、点線の矢印で表されている。
【００４０】
本記述の目的上、２つの端末５０１、５０２が、１００Ｍｂｐｓのデータ通信を達成するためにネットワークリソースを求めると仮定する。次に、Ｘ−Ｉインタフェースは、予約プロトコルとして動作し、１００Ｍｂｐｓのデータ伝送のためのネットワークリソース（すなわち時間シグナリング期間）を割り振ることによってパートナーリストからの１対のデバイス間における同時の送信を調整する。次いで、２つのデバイスは、割り振られた時間シグナリング期間を使用して指定のドメイン間ブリッジ４００を介した通信を開始する準備が整う。第１の時間スロット（実線矢印）中で、Ａ１とＢ１の両方のデバイスが、それらの完全な（１００Ｍｂｐｓ）データ信号を、対応するマルチポートドメインマネージャ１１１、１１２に送る。マルチポートドメインマネージャ１１１、１１２は、ＬＬＣ機能を介して、指定のドメイン間ブリッジノード４００と相互接続されている。第２の時間スロット（点線矢印）中で、ドメイン間ブリッジノード４００の異なるポート上の受信信号が重畳され、次いで、ドメイン間ブリッジ４００は、第１のドメインマネージャ１１１および第２のドメインマネージャ１１２に対して、それらに対応するネットワークドメイン１０１、１０２内で重畳信号をブロードキャストするよう論理Ｘ−Ｉインタフェースを介してコマンドを送る。第１の端末５０１および第２の端末５０２は、共にそれら自体の信号を知っているので、それらの情報コンテンツを引いてパートナーデバイスからの情報を得ることができる。
【００４１】
このように、ドメイン間ブリッジ４００は、制御パラメータ（すなわちフロー優先順位およびキューイングリスト）を使用して、異なるドメイン１０１、１０２からの２つのデバイス５０１、５０２間における双方向通信を、Ｘ−Ｉインタフェースを介して開始および調整することができる。
【００４２】
したがって、本発明による方法および装置は、ドメイン間ブリッジにおけるデータ中継を両方向で同時に実施することによって、ネットワークリソースのより効率的な使用を提供する。
【００４３】
このように、本発明は、異なる信号を同時に送信することが必ずしもメッセージの内容を曖昧にしないという洞察にとりわけ基づくが、これは、送信側が、送信されたメッセージの送信側自体のコピーをフィルタとして使用して、結合送信からピアのメッセージを抽出することができるからである。
【００４４】
端末５０１、５０２は、漏話キャンセルまたはエコーキャンセルの一形式を適用するが、この場合、前に送信された端末自体の信号が妨害元と見なされる。適切なスケジューリングにより、ドメイン間ブリッジ４００は確実に、所与の端末対５０１、５０２から発生した信号の対が常に同時に送られるようにすることができ、これにより、意図された受信側は常に、それに宛てられた通信を確実に解きほぐせることになる。ブロードキャストチャネルを介して混合通信を受信する他の端末は、送出通信信号のコピーを普通は処理しないので、通常は通信を解きほぐせないことになる。
【００４５】
本発明はさらに、通信信号を混合すること、したがってまたそれらを解きほぐすことを、物理層でまたはパケットレベルで行うことができるという洞察に基づく。後者の場合、結合すること／解きほぐすことは、２つの利用可能な信号に排他的論理和演算をビットごとに適用することで構成されてよい。
【００４６】
図３に、本発明による方法の一実施形態のフローチャートを提供する。明確にするために、本発明による例示的な端末５００によって実施されるステップは、左側の列に示され、本発明による例示的なドメイン間ブリッジ４００によって実施されるステップは、右側の列に示される。会話における端末のピアのステップは、明示的に示されていない。
【００４７】
第１のステップ３１０で、端末５００は、第１の通信信号をドメイン間ブリッジ４００に送信する。このステップは、ドメイン間ブリッジ４００において行われる第１のステップ３２０に対応し、ステップ３２０は、この第１の通信信号を受信することからなる。第２のステップ３３０で、ドメイン間ブリッジ４００は、第２の端末（図示せず）による送信の結果として、第２の通信信号を受信する。前述のステップ３１０−３３０は、ほぼ同時に行われてよい。
【００４８】
次のステップ３４０で、ドメイン間ブリッジ４００は、第１の信号および第２の信号に基づいて重畳信号を生成する。重畳は、パケットレベルで、例えば前述のようにビットごとの排他的論理和を適用することによって行われてよく、または物理レベルで、それぞれの信号を表す電圧レベルもしくは光強度を加えることによって行われてよい。
【００４９】
次のステップ３５０で、重畳信号は、ドメイン間ブリッジ４００によってエンドポイント５０１、５０２に再送される（通常はそれぞれのドメインマネージャ５１１、５１２を介して）。
【００５０】
図４に、本発明によるドメイン間ブリッジ４００の一実施形態のブロック図を提供する。これは、第１のホームネットワーキングセグメント（図示せず。図１および２の１０１参照）と信号を交換するようになされた第１のインタフェース４１０と、第２のホームネットワーキングセグメント（図示せず。図１および２の１０１参照）と信号を交換するようになされた第２のインタフェース４２０と、第１の通信信号と第２の通信信号との重畳信号を生成し、第１のインタフェース４１０および第２のインタフェース４２０を介して前記重畳信号をほぼ同時に送信するように構成された重畳エージェント４３０とを備える。
【００５１】
インタフェース４１０、４２０が、適用可能なプロトコルを使用した対象ネットワークセグメントとのドメイン間ブリッジ４００の通信を可能にするための必要なハードウェアおよびソフトウェアの組合せを含むことは、当業者なら理解するであろう。概略的に示すように、重畳エージェント４３０は、インタフェース４１０、４２０に動作可能に結合され、すなわちこれらのインタフェースを通して通信パケットを送信および受信することが可能にされ、したがって、重畳エージェント４３０中には必要最小限の受信および送信機能が暗黙的に存在する。
【００５２】
第１のインタフェース４１０は、ツイストペアセグメント、同軸セグメント（例えばＭＯＣＡ標準による）、電力線セグメント、のうちの１つを介して動作するように構成されることが好ましい。第２のインタフェース４２０は、ツイストペアセグメント、同軸セグメント（例えばＭＯＣＡ標準による）、電力線セグメント、のうちの別の１つを介して動作するように構成されることが好ましい。
【００５３】
図５に、本発明による通信端末５００の一実施形態のブロック図を提供する。これは、ホームネットワークドメイン１０１を介してドメイン間ブリッジ４００と信号を交換するための通信インタフェース５１０と、通信インタフェース５１０を介して送出通信信号を送信するための送信機５２０と、通信インタフェース５１０を介して入来通信信号を受信するための受信機５３０と、差分信号５９９に達するために送出通信信号に対応する成分を入来通信信号から除去する手段５４０とを備える。
【００５４】
本発明のコンテキストでは、結果として得られる差分信号５９９は、会話ピアのメッセージを表し、このメッセージは、ドメイン間ブリッジ４００から受信された通信信号から「自己漏話」をキャンセルした後に得られるものである。
【００５５】
インタフェース５１０が、適用可能なプロトコルを使用した対象ネットワークセグメントとの端末５００の通信を可能にするための必要なハードウェアおよびソフトウェアの組合せを含むことは、当業者ならやはり理解するであろう。概略的に示すように、抽出手段５４０は、インタフェース５１０に動作可能に結合される。すなわち、このインタフェースを通して、送信機５２０および受信機５３０をそれぞれ介して通信パケットを送信および受信することが可能にされる。インタフェース５１０は、ツイストペアセグメント、同軸セグメント（例えばＭＯＣＡ標準による）、電力線セグメント、のうちの１つを介して動作するように構成されることが好ましい。
【００５６】
図４では重畳エージェント４３０がいくつかの論理処理記号によって表されているが、これは例示の目的でそのように表されているに過ぎず、本発明をこの特定の形の信号混合に限定するためではない。同じことが、図５の、信号成分を除去する手段５４０を表すのに使用される対応する論理記号にも当てはまる。
【００５７】
「プロセッサ」の符号が付いた任意の機能ブロックを含めた図示の様々な要素の機能は、専用ハードウェアを使用して、ならびに適切なソフトウェアとの関連でソフトウェアを実行できるハードウェアを使用して、提供することができる。プロセッサによって提供されるとき、これらの機能は、単一の専用プロセッサ、単一の共有プロセッサ、または複数の個別プロセッサ（いくつかは共有される場合がある）によって提供することができる。さらに、用語「プロセッサ」または「コントローラ」の明示的な使用は、ソフトウェアを実行できるハードウェアのみを指すものと解釈すべきではなく、ディジタル信号プロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するための読取専用メモリ（ＲＯＭ）、ランダムアクセスメモリ（ＲＡＭ）、および不揮発性記憶装置を、限定ではなく暗黙的に含み得る。従来型および／またはカスタムの、他のハードウェアもまた含まれてよい。同様に、図示のいかなるスイッチも、概念的なものに過ぎない。これらの機能は、プログラムロジックの動作を通して、専用ロジックを通して、プログラム制御と専用ロジックとの対話を通して、さらには手動で実施されてよく、特定の技法は、コンテキストからより具体的に理解されるように、実施者によって選択可能である。
【００５８】
本発明の範囲を逸脱することなく、本発明による１つまたは複数の装置との関連で述べた様々な特徴、オプション、および構成を、本発明による方法に当てはめることができ、またその逆も可能である。
【００５９】
プログラムされたコンピュータによって前述の様々な方法のステップを実施できることは、当業者ならすぐに認識するであろう。本明細書では、いくつかの実施形態はプログラム記憶デバイス（例えばディジタルデータ記憶媒体）もカバーするものとし、プログラム記憶デバイスは、機械可読またはコンピュータ可読であり、命令の機械実行可能またはコンピュータ実行可能プログラムをエンコードする。ここで、前記命令は、前述の方法のステップのいくつかまたは全てを実施する。プログラム記憶デバイスは、例えば、ディジタルメモリ、磁気ディスクや磁気テープなどの磁気記憶媒体、ハードドライブ、または光学的に読取可能なディジタルデータ記憶媒体とすることができる。実施形態はまた、前述の方法の前記ステップを実施するようにプログラムされたコンピュータもカバーするものとする。
【図１】
2014520423.tif 000003
【図２】
2014520423.tif 000004
【図３】
2014520423.tif 000005
【図４】
2014520423.tif 000006
【図５】
2014520423.tif 000007
【手続補正書】
【提出日】平成26年1月14日(2014.1.14)
【手続補正１】
【補正対象書類名】図面
【補正対象項目名】全図
【補正方法】変更
【補正の内容】
【図１】
2014520423.tif 000008
【図２】
2014520423.tif 000009
【図３】
2014520423.tif 000010
【図４】
2014520423.tif 000011
【図５】
2014520423.tif 000012
【国際調査報告】
2014520423.tif 000013
2014520423.tif 000014
2014520423.tif 000015